(57)【要約】【課題】刈払機において、モータを収納したカッタユニットの中に水が溜まらないようにする。【解決手段】刈払機は、前端部と後端部を有する棒状体を呈する支持棹と、刈払いのための回転刃およびモータを含み支持棹の前端部に配設されたカッタユニットと、回転刃およびモータを制御するための制御回路および制御操作子を含むコントローラユニットと、作業者が使用時に把持するために支持棹に配設されたハンドルとを備えて構成される。カッタユニットは、内部にモータを収容し、下面外部に回転刃を回転可能に保持し、後方上部に支持棹を接続するためのハウジングを有する。ハウジングは、繊維強化樹脂で形成され、下面側の外殻壁部分に、支持棹の先端とモータ収容室との間の位置に、下向きに連通して開口する水抜き孔が形成されている。【選択図】図２
2014117261.tif 000002
【特許請求の範囲】
【請求項１】
前端部と後端部を有する棒状体を呈する支持棹と、
刈払いのための回転刃およびモータを含み前記支持棹の前記前端部に配設されたカッタユニットと、
前記回転刃およびモータを制御するための制御回路を含むコントローラユニットと、
作業者が使用時に把持するために前記支持棹に配設されたハンドルと
を備えてなり、
前記カッタユニットは、内部に前記モータを収容し、下面外部に前記回転刃を回転可能に保持し、後方上部に前記支持棹を接続するためのハウジングを有し、
前記ハウジングは、板状の外殻壁を有し、内部に前記モータを収容するモータ収納室を有しており、接続される前記支持棹の流水経路の先端を前記モータ収納室の上端よりも下方に位置させるとともに、前記ハウジングの下面側の外殻壁部分には、接続される前記支持棹の前記流水経路の先端より前方で前記モータ収容室より後方の位置に、下向きに連通して開口する水抜き孔を形成してなる
ことを特徴とする刈払機。
【請求項２】
請求項１に記載の刈払機において、
前記水抜き孔の前記支持棹の前記流水経路の先端から遠い側に隣接して前記ハウジングの下面側の外殻壁部分から一体に起立させて流水阻止板を形成した
ことを特徴とする刈払機。
【請求項３】
請求項１または２に記載の刈払機において、
前記水抜き孔を、前記支持棹の前記流水経路の先端に対向する第一の位置と前記モータ収納室の後方直近の第二の位置との２箇所に形成した
ことを特徴とする刈払機。
【請求項４】
請求項１〜３のいずれか１項に記載の刈払機において、
前記水抜き孔を長孔とした
ことを特徴とする刈払機。
【請求項５】
請求項１〜４のいずれか１項に記載の刈払機において、
前記ハウジングが繊維強化樹脂で形成されている
ことを特徴とする刈払機。
【発明の詳細な説明】
【技術分野】
【０００１】
この発明は、草刈機、芝刈機など、刈払機に関し、特に、支持棹の前端に草刈りなどのための回転刃およびモータを含むカッタユニットを備え、支持棹の所定位置に制御回路を含むコントローラユニットを備え、支持棹の所定位置に作業者が使用時に刈払機を把持するためのハンドルを備えてなる刈払機に関し、モータを収容するカッタユニットのハウジングの内部に水が溜まらないように工夫したものである。
【背景技術】
【０００２】
公園や土手の雑草、庭の芝生などを刈り払うための刈払機として、前端にカッタユニットが配設され後端にコントローラユニットが配設された支持棹を、支持棹の後端寄りの途中位置に配設されたハンドルを両手で持って小脇に抱えて、カッタユニットの回転刃を地面に沿って前後左右に移動させながら、そこに生えている雑草や芝を刈り払うタイプのものが存在する。したがって、このタイプの刈払機の使用状態では、支持棹は前端部が斜め下方を向き、後端部が斜め上方を向く。また、屋外で使用するため、雨、露など水に濡れる場合が多く、支持棹の管体内部または管体外面を伝って水が流れ落ちたり、カッタユニットの外殻の隙間などから水が染み込んだりして、カッタユニットのハウジングの内部に水が進入する可能性が高い。特に、カッタユニット内にモータを収容した電動式の刈払機では、カッタユニットのハウジングの中に水が進入した場合に、その水が内部に溜まったままになると、モータの電気系にとって好ましくない。しかしながら、従来の刈払機では、カッタユニットのハウジングの内部に水が溜まることに関して、考慮が払われていなかった。
【先行技術文献】
【特許文献】
【０００３】
【特許文献１】実開昭６３−５８５３２号公報
【発明の概要】
【発明が解決しようとする課題】
【０００４】
この発明は、支持棹を伝ったりハウジング外殻の隙間から染み込んだりして、刈払機のモータを収容したカッタユニットに仮に水が進入しても、その水がカッタユニットのハウジング内に溜まらないように、かつモータが収納されている方に水が行かないように構成した刈払機を提供することを目的とする。
【課題を解決するための手段】
【０００５】
上記の課題を解決するために、この発明による刈払機は、前端部と後端部を有する棒状体を呈する支持棹と、刈払いのための回転刃およびモータを含み支持棹の前端部に配設されたカッタユニットと、回転刃およびモータを制御するための制御回路を含むコントローラユニットと、作業者が使用時に把持するために支持棹に配設されたハンドルとを備えてなり、カッタユニットは、内部にモータを収容し、下面外部に回転刃を回転可能に保持し、後方上部に支持棹を接続するためのハウジングを有し、当該ハウジングは、板状の外殻壁を有し、内部にモータを収容するモータ収納室を有しており、接続される支持棹の流水経路の先端をモータ収納室の上端よりも下方に位置させるとともに、ハウジングの下面側の外殻壁部分には、接続される支持棹の流水経路の先端より前方でモータ収容室より後方の位置に、下向きに連通して開口する水抜き孔を形成してなる、ことを特徴とする。
【０００６】
この発明の刈払機では、前記水抜き孔の支持棹の流水経路の先端から遠い側に隣接してハウジングの下面側の外殻壁部分から一体に起立させて流水阻止板を形成すると、好適である。
【０００７】
この発明の刈払機では、前記水抜き孔を、支持棹の流水経路の先端に対向する第一の位置とモータ収納室の後方直近の第二の位置との２箇所に形成すると、好適である。
【０００８】
この発明の刈払機では、前記水抜き孔を、支持棹の流水経路の先端に対向する第一の位置とモータ収納室の直前の第二の位置との２箇所に形成し、第一の位置の水抜き孔の支持棹の流水経路の先端から遠い側に隣接してハウジングの下面側の外殻壁部分から一体に起立させて流水阻止板を形成すると、好適である。
【０００９】
この発明の刈払機では、前記水抜き孔を長孔とすると、好適である。
【００１０】
この発明の刈払機では、前記ハウジングが繊維強化樹脂で形成されていると、好適である。
【発明の効果】
【００１１】
この発明によれば、刈払機のカッタユニットのハウジングにおいて、ハウジングに接続される支持棹の流水経路の先端をモータ収納室の上端よりも下方に位置させるとともに、ハウジングの下面側の外殻壁部分には、支持棹の流水経路の先端より前方でモータ支持枠より手前の位置に、下向きに連通して開口する水抜き孔を形成したので、支持棹を伝ったりハウジング外殻の隙間から染み込んだりして、カッタユニットに仮に水が進入しても、その水がカッタユニットのハウジング内に溜まらず、また、モータが収納されている方に水が行かず、故障の起こりにくい刈払機が提供される。
【図面の簡単な説明】
【００１２】
【図１】この発明の一実施形態による刈払機の全体の外観を示す斜視図である。
【図２】この発明の一実施形態による刈払機のカッタユニットのハウジングを左右二つ割りで成型した場合の、右半分のハウジング体を内側から見た側面図である。
【図３】この発明の一実施形態による刈払機のカッタユニットのハウジングを、回転刃を外した状態で示す底面図である。
【発明を実施するための形態】
【００１３】
以下に、この発明による刈払機の実施形態を、図面を参照しながら説明する。この発明の実施形態による刈払機は、その全体像は、図１に示すような外観を呈するものであり、支持棹１の前端にカッタユニット２が配設され、支持棹１の後端にコントローラユニット３が配設され、支持棹１の中程の後端寄りの位置にハンドル４が配設されて構成されており、ハンドル４を両手で持って支持棹１を小脇に抱えて、カッタユニット２の回転刃２１を地面に沿って前後左右に移動させながら、そこに生えている雑草や芝を刈り払うものである。
【００１４】
この発明の実施形態による刈払機では、カッタユニット２は、そのハウジング内に駆動用のモータおよび減速歯車を収容し、モータにより減速歯車を介して駆動される回転刃２１を下面外部に露出させて回転可能に保持しており、コントローラユニット３は、交換可能なバッテリ３１を取り付けて、制御操作子３２により作業者が行う制御に応じて内部に設けた制御回路を介してバッテリ３１の電力をカッタユニット２のモータに供給することにより、刈払機が運転される。
【００１５】
この発明の実施形態による刈払機では、カッタユニット２のハウジング２０は、ガラス繊維３０％強化ポリカーボネート樹脂（ＰＣ−ＧＦ３０）で板状の外殻として左右二つ割りの形に成型されており、右半分のハウジング体を内側から見て図２に示すように、その内部にモータ２２および減速歯車２３を収容し、回転刃２１を下面外部に回転可能に保持している。ハウジング２０は、その後方上部（図２では、右上部分）に支持棹１が接続されていて、その支持棹１は、管状であるので、管内に水が入ると、その水は、管内に流水経路が出来て、管体の先端の下側１ａ（流水経路の先端に当たる）の所から水がハウジング２０内に滴り落ちる。流水経路の先端１ａは、モータ２２および減速歯車を収容するモータ収納室２０ｍの上端よりも下方に位置させてあり、滴り落ちた水がモータ２２に掛からないようになっている。また、管体の外面に付いた水は、管体の下面を伝ってハウジング２０の方へ向かって流れ、ハウジング２０の隙間などからハウジング２０の内部に進入する。
【００１６】
ハウジング２０の下面側の外殻壁部分２０ａには、支持棹１の流水経路の先端１ａより前方（図２では、左）でモータ収容室２０ｍより後方（図２では、右）の位置に、水抜き孔２０ｃ、２０ｄが下向きに連通開口して形成されている。水抜き孔２０ｃは、流水経路の先端１ａに対向する位置に形成され、水抜き孔２０ｃの流水経路の先端１ａから遠い側に隣接してハウジングの下面側の外殻壁部分２０ａから一体に起立させて流水阻止板２０ｓが形成されている。このような構造により、支持棹１を伝って水が進入した場合には、その水は、流水阻止板２０ｓにより阻止されるとともに、水抜き孔２０ｃから下方外部に流出する。また、水抜き孔２０ｄは、モータ収納室２０ｍの後方直近の位置に形成されており、流水阻止板２０ｓよりもさらに前方（下方）に進入した水は、この水抜き孔２０ｄから下方外部に流出する。
【００１７】
図３は、回転刃２１を外した状態でカッタユニット２を下方から見た底面図であり、この図からも窺えるように、水抜き孔２０ｃおよび２０ｄは、長孔に形成されている。長孔にしたことにより、小さい丸孔の場合に、水の表面張力の作用により孔の所を水の球面が塞いで、水が流れ出にくくなるのに比べて、表面張力による曲面の形が崩れて孔が塞がれにくくなり、水が出やすくなっている。
【００１８】
なお、図示の実施形態では、制御回路を含むコントロールユニット３を支持棹１の後端部に配設したが、コントロールユニット３の制御回路を含む部分をカッタユニット２と合体させて、カッタユニット２のハウジング２０の中に制御回路を含ませる構成とすることもでき、また、モータ２２自体の一部に制御回路を組み込んだ構成とすることもできる。また、制御操作子３２は、コントロールユニット３を支持棹１の後端部に配設して、そのコントロールユニット３に設ける代わりに、ハンドル４の適切な位置に設けることもできる。
【００１９】
以上説明したように、この発明の刈払機によれば、支持棹を伝ったりハウジング外殻の隙間から染み込んだりして、刈払機のモータを収容したカッタユニットに仮に水が進入しても、その水がカッタユニットのハウジング内に溜まらず、また、モータが収納されている方に水が行かないので、刈払機の故障が起こりにくくなる。
【符号の説明】
【００２０】
１…支持棹、１ａ…支持棹の流水経路の先端、２…カッタユニット、３…コントローラユニット、４…ハンドル、２０…ハウジング、２０ａ…ハウジングの下面側の外殻壁部、２０ｃ…水抜き孔、２０ｄ…水抜き孔、２０ｍ…モータ収容室、２０ｓ…流水阻止板、２１…回転刃、２２…モータ、２３…減速歯車。
【図１】
2014117261.tif 000003
【図２】
2014117261.tif 000004
【図３】
2014117261.tif 000005